(57)【特許請求の範囲】
【請求項１】
花の花弁または萼に含有された糖の計測処理を実施する計測装置であって、
前記花の花弁または萼に光を照射する光源と、
前記光源から被検対象の花に光を照射することによって前記花弁または萼から放出された光の測定処理を実施するための測定部と、
前記花の花弁または萼が含有する糖を分析するために用いる分析モデルであって、前記花の品種毎に、前記花弁または萼の複数の開花段階それぞれに関連付けた前記分析モデルを格納するための記憶部と、
前記花弁または萼に含有された糖の分析処理を実施する処理部と、を備え、
前記処理部は、前記測定部で測定された前記光の強度情報を取得する光強度取得部を含み、
前記処理部は、前記被検対象の花の開花段階を取得し、取得された開花段階に関連付けされた前記記憶部の分析モデルと、取得された前記光の強度情報とに基づき、前記分析処理を実施するよう構成される、計測装置。
【請求項２】
前記処理部は、
情報を表示するように表示部を制御する表示制御部と、
前記計測装置に対するユーザ操作を受付けるための操作受付部と、をさらに含み、
前記表示制御部は、前記複数の開花段階を表す情報を、前記表示部に表示させ、
前記操作受付部により受付けられる操作内容は、前記複数の開花段階のうちの１つを選択する操作を含む、請求項１に記載の計測装置。
【請求項３】
前記計測装置は、
前記被検対象の花の周囲の環境条件を取得する環境条件取得部を、さらに備え、
前記記憶部は、前記複数の開花段階それぞれに関連付けて、環境条件毎に前記分析モデルを格納し、
前記処理部は、さらに、
前記開花段階に関連付けされた前記記憶部の分析モデルのうち、前記環境条件取得部により取得された前記環境条件に対応の分析モデルと、前記取得された光の強度情報とに基づき、前記分析処理を実施する、請求項２に記載の計測装置。
【請求項４】
前記環境条件は、前記被検対象の花の周囲の温度、湿度および照度の少なくとも１つの条件を含む、請求項３に記載の計測装置。
【請求項５】
前記計測装置は、さらに、
前記測定処理と前記分析処理が実施されたとき、当該処理に関する情報であって、前記分析モデルと、前記開花段階と、前記環境条件と、当該測定処理や分析処理の結果とを含む情報を格納するための結果格納部を備える、請求項３または４に記載の計測装置。
【請求項６】
前記記憶部は、前記複数の開花段階それぞれに関連付けて、水分の量毎に前記分析モデルを格納し、
前記計測装置は、さらに、
前記被検対象の花の花弁または萼に含まれる水分の量の情報を取得し、
前記処理部は、さらに、
前記開花段階に関連付けされた前記記憶部の分析モデルのうち、取得された情報が示す水分の量に対応の分析モデルと、前記取得された光の強度情報とに基づき、前記分析処理を実施する、請求項１から５のいずれか１項に記載の計測装置。
【請求項７】
前記記憶部は、前記複数の開花段階それぞれに関連付けて、色素の量毎に前記分析モデルを格納し、
前記計測装置は、
前記被検対象の花の花弁または萼に含まれる前記色素の量の情報を取得し、
前記処理部は、さらに、
前記開花段階に関連付けされた前記記憶部の分析モデルのうち、取得された情報が示す色素の量に対応の分析モデルと、前記取得された光の強度情報とに基づき、前記分析処理を実施する、請求項１から６のいずれか１項に記載の計測装置。
【請求項８】
前記計測装置は、さらに、日付および時刻の少なくともいずれかを取得するための計時部をさらに備え、
前記記憶部は、前記分析モデルを日付および時刻の少なくともいずれかに対応付けて格納し、
前記処理部は、さらに、前記記憶部の分析モデルのうち、前記計時部による計時情報に対応の分析モデルと、前記取得された光の強度情報とに基づき、前記分析処理を実施する、請求項１から７のいずれか１項に記載の計測装置。
【請求項９】
前記光強度取得部は、前記被検対象の花の花弁または萼に光が照射されたときに、当該花弁または萼から受光する光の強度情報を取得する、請求項１から８のいずれか１項に記載の計測装置。
【請求項１０】
前記光源は、半導体発光素子を含み、
前記被検対象の花の花弁または萼に照射される光は、前記半導体発光素子から照射された光を含む、請求項９に記載の計測装置。
【請求項１１】
前記被検対象の花の花弁または萼に照射される光は、波長が連続した光を含み、
前記計測装置はさらに、
前記測定処理のための波長の光を透過する波長フィルタと、
前記被検対象の花の花弁または萼に前記波長が連続した光が照射されたときに、当該花弁または萼からの光を、前記波長フィルタを介して受光する受光素子を備え、
前記光強度取得部は、前記受光素子により受光された光の強度情報を取得する、請求項９に記載の計測装置。
【請求項１２】
前記光源は、波長が連続した光を照射する連続光源を含み、
前記計測装置は、
前記連続光源により前記被検対象の花の花弁または萼に光が照射されたときに、当該花弁または萼からの光の強度を、波長毎に取得する分光器を含む、請求項９に記載の計測装置。
【請求項１３】
前記計測装置は、当該計測装置とは別に外部装置を備え、
前記光源または前記測定部は、前記外部装置に含まれる、請求項１から１２のいずれか１項に記載の計測装置。
【請求項１４】
前記光源は、励起光源と、当該励起光源からの光の波長を変換する蛍光体とを含む、請求項１から１３のいずれか１項に記載の計測装置。
【請求項１５】
前記被検対象の花の花弁または萼への照射光は、１１００ｎｍ以上の波長を有し、
前記光の強度情報は、前記１１００ｎｍ以上の波長の光の吸光度を含む、請求項１から１４のいずれか１項に記載の計測装置。
【請求項１６】
前記分析モデルを格納するための記憶部は、書き換え可能である、請求項１から１５のいずれか１項に記載の計測装置。
【請求項１７】
前記計測装置は、
当該計測装置の外部から分析モデルを取得し、取得された前記分析モデルを前記記憶部に格納する、請求項１６に記載の計測装置。
【請求項１８】
請求項１から１７のいずれか１項に記載の計測装置と、サーバ装置とを含むネットワークシステムであって、
前記計測装置は、さらに、
端末通信インターフェイスを、備え、
前記端末通信インターフェイスを介して前記計測処理の計測結果を前記サーバ装置へ送信し、前記サーバ装置から受信する変更データに基づいて前記記憶部に記憶された前記分析モデルを変更し、
前記サーバ装置は、
サーバ通信インターフェイスと、
前記記憶部の分析モデルを変更または追加するための管理データを記憶するためのサーバメモリと、を備え、
前記サーバ通信インターフェイスを介して前記計測装置から受信した前記計測結果に基づいて前記変更データを生成し、前記サーバ通信インターフェイスを当該変更データを介して前記計測装置へ送信する、ネットワークシステム。
【請求項１９】
花の花弁または萼に含有された糖を計測する装置における計測方法であって、
前記装置は、前記花の花弁または萼が含有する糖を分析するために用いる分析モデルであって、前記花の品種毎に、前記花弁または萼の複数の開花段階それぞれに関連付けた前記分析モデルを格納するための記憶部を備え、
前記計測方法は、
被検対象の花の花弁または萼から受光する光の強度情報を取得するステップと、
前記被検対象の花の開花段階を取得し、取得された開花段階に関連付けされた前記記憶部の分析モデルと、取得された前記光の強度情報とに基づき、前記花弁または萼に含有された糖の分析処理を実施するステップと、を備える、計測方法。
【請求項２０】
プロセッサを備えるコンピュータに、花の花弁または萼に含有された糖の計測方法を実行させるためのプログラムであって、
前記コンピュータは、前記花の花弁または萼が含有する糖の分析処理に用いる分析モデルであって、前記花の品種毎に、前記花弁または萼の複数の開花段階それぞれに関連付けた前記分析モデルを格納するための記憶部を備え、
前記プログラムは、前記プロセッサに、
被検対象の花の花弁または萼から受光する光の強度情報を取得するステップと、
前記被検対象の花の開花段階を取得し、取得された開花段階に関連付けされた前記記憶部の分析モデルと、取得された前記光の強度情報とに基づき、前記分析処理を実施するステップと、を実行させるためのプログラム。
【発明の詳細な説明】
【技術分野】
【０００１】
本発明は、植物の花の品質を非破壊で計測する装置、ネットワークシステム、計測方法およびプログラムに関する。
【背景技術】
【０００２】
近年はアジアやアフリカからの安価な花卉の輸入が盛んとなり、国内の花卉生産においては生産の高効率化や高付加価値化が求められるようになっている。
【０００３】
その施策の一つとして、花卉の特性に合わせた品質保持剤の投与がある。例えば、市場でよく取引される花卉の多くは、光合成で生産した糖で花弁の細胞の浸透圧を調整して花弁を開くと共に、糖を消費してエネルギー源や細胞の合成源とする性質を持っている。よって、糖を適量与えれば開花が促進され花弁が大きく成長し、花が長持ちするなどの効果があり、糖が不足すると開花が不十分なまま老化が進む。この特性を利用する目的で花卉に与えられる品質保持剤には糖が含まれていて、与える糖の量をよく管理することによって品質をコントロールする手法がとられている。
【０００４】
ところが与えた糖が必ずしも想定通りに花卉に吸収されるわけではなく、糖の吸収量や有効に働く糖の種類は、花卉の品種と花卉の状態そして花卉の置かれた気候や環境の条件によって異なる。そのため、与えるべき適量をコントロールできずに品質が損なわれてしまい、廃棄せざるを得なくなって廃棄ロスが生じてしまうことがある。
【０００５】
どれだけの糖が吸収されているのかは外見の観察だけでは正確にはわからないため、分析装置を使って糖の量や種類を計測する。例えば、花卉を乾燥および粉砕してアルコール中で糖を抽出した後に分離し、分離して得られた成分に液体クロマトグラフィー法や酵素法などの一般的な化学分析手法を適用する方法が用いられる。
【０００６】
しかし、これらの方法は花卉を破壊しなければならず、また時間や手間もかかり高価な設備や試薬も必要であるため、より簡便な方法が提供されている。
【０００７】
例えば、特許文献１（特開平４−２０８８４２号公報）は、果実の糖の量（果実においては糖度と呼ばれるのが一般的である）を近赤外分光で非破壊的に計測することにより、定量分析する方法を開示する。これは、対象物に光を照射して計測する吸光度（物質が光を吸収する強さ）の波長変化（一般に吸収スペクトルと呼ばれる）が、対象物に含まれる成分値と相関をもつことを利用した方法である。
【先行技術文献】
【特許文献】
【０００８】
【特許文献１】特開平４−２０８８４２号公報
【発明の概要】
【発明が解決しようとする課題】
【０００９】
果実や野菜の場合は同じ品種であれば形状や糖度に極端な違いはなく、商品としても整った形や味に統一されており、また計測する時期は収穫時期であるため気候などの環境がほぼ同じである。よって、品種によって検量線のモデルを作り分けて、特許文献１に示されているようにスペクトルデータを用いる方法で計測することができる。
【００１０】
しかしながら、特許文献１のような近赤外分光による非破壊な糖計測を花卉に適用することは容易ではないために実現していなかった。光を用いた計測においては計測したい成分以外の、計測対象物の形状や計測環境などの要因がスペクトルを歪めることが多く、精度の良い計測が困難になるからである。
【００１１】
果実や野菜の場合は同じ品種であれば形状や糖度に極端な違いはなく、商品としても整った形や味に統一されており、また計測する時期は収穫時期であるため気候などの環境がほぼ同じである。よって、品種によって検量線のモデルを作り分けて、特許文献１に示されているようにスペクトルデータを用いる方法で計測することができる。
【００１２】
ところが、花卉の場合は蕾から開花まで形状が様々な態様で変化し、その変化の程度は大きい。また、開花に伴って花弁に含まれる糖の量も大きく変化する。また、含まれる糖について多糖と単糖の割合が変わる現象が起こるなどして、含まれる糖の種類も変化する。
【００１３】
よって花卉の変化は果実類や野菜類よりも多様であり、花卉に含まれた糖の分析を精度よく実行することが困難である。
【００１４】
このように、花卉が含む糖の非破壊計測を実現する装置の提供が望まれていた。なお、非破壊と言ってもごく微小な細胞レベルでさえ全く損傷や変形が起こらないということではなく、商品価値を損なわないということであり、花卉を乾燥したり粉砕したりするような破壊的な方法を必要としない非破壊的な方法で計測することである。
【００１５】
本発明は、上記の課題を解決するためになされたものであり、その目的は、花の花弁または萼に含まれる糖を、花卉を乾燥したり粉砕したりするような破壊的な方法を必要としない非破壊的な方法で計測することが可能な計測装置、ネットワークシステム、計測方法およびプログラムを提供することにある。
【課題を解決するための手段】
【００１６】
この発明のある局面に従う、花の花弁または萼に含有された糖の計測処理を実施する計測装置は、花の花弁または萼に光を照射する光源と、光源から被検対象の花に光を照射することによって花弁または萼から放出された光の測定処理を実施するための測定部と、花の花弁または萼が含有する糖を分析するために用いる分析モデルを格納するための記憶部と、花弁または萼に含有された糖の分析処理を実施する処理部と、を備え、処理部は、測定部で測定された光の強度情報を取得する光強度取得部を含み、処理部は、分析モデルと、取得された光の強度情報とに基づき、分析処理を実施するよう構成される。
【００１７】
好ましくは、記憶部は、花の品種毎に、花弁または萼の複数の開花段階それぞれに関連付けた分析モデルを格納し、処理部は、被検対象の花の開花段階を取得し、取得された開花段階に関連付けされた記憶部の分析モデルと、取得された光の強度情報とに基づき、分析処理を実施するよう構成される。
【００１８】
好ましくは、処理部は、情報を表示するように表示部を制御する表示制御部と、計測装置に対するユーザ操作を受付けるための操作受付部と、をさらに含み、表示制御部は、複数の開花段階を表す情報を、表示部に表示させ、操作受付部により受付けられる操作内容は、複数の開花段階のうちの１つを選択する操作を含む。
【００１９】
好ましくは、計測装置は、被検対象の花の周囲の環境条件を取得する環境条件取得部を、さらに備え、記憶部は、複数の開花段階それぞれに関連付けて、環境条件毎に分析モデルを格納し、処理部は、さらに、開花段階に関連付けされた記憶部の分析モデルのうち、環境条件取得部により取得された環境条件に対応の分析モデルと、取得された光の強度情報とに基づき、分析処理を実施する。
【００２０】
好ましくは、環境条件は、被検対象の花の周囲の温度、湿度および照度の少なくとも１つの条件を含む。
【００２１】
好ましくは、測定処理と分析処理が実施されたとき、当該処理に関する情報であって、分析モデルと、開花段階と、環境条件と、当該測定処理と分析処理の結果とを含む情報を格納するための結果格納部を備える。
【００２２】
好ましくは、記憶部は、複数の開花段階それぞれに関連付けて、水分の量毎に測定用データを格納し、計測装置は、さらに、被検対象の花の花弁または萼に含まれる水分の量の情報を取得し、処理部は、さらに、開花段階に関連付けされた記憶部の測定用データのうち、取得された情報が示す水分の量に対応の測定用データと、取得された光の強度情報とに基づき、分析処理を実施する。
【００２３】
好ましくは、記憶部は、複数の開花段階それぞれに関連付けて、色素の量毎に測定用データを格納し、計測装置は、被検対象の花の花弁または萼に含まれる色素の量の情報を取得し、処理部は、さらに、開花段階に関連付けされた記憶部の測定用データのうち、取得された情報が示す色素の量に対応の測定用データと、取得された光の強度情報とに基づき、分析処理を実施する。
【００２４】
好ましくは、計測装置は、さらに、日付および時刻の少なくともいずれかを取得するための計時部をさらに備え、記憶手段は、分析モデルを日付および時刻の少なくともいずれかに対応付けて格納し、処理部は、さらに、記憶部の分析モデルのうち、計時部による計時情報に対応の分析モデルと、取得された光の強度情報とに基づき、分析処理を実施する。
【００２５】
好ましくは、光強度取得部は、被検対象の花の花弁または萼に光が照射されたときに、当該花弁または萼から受光する光の強度情報を取得する。
【００２６】
好ましくは、光源は、半導体発光素子を含み、被検対象の花の花弁または萼に照射される光は、半導体発光素子から照射された光を含む。
【００２７】
好ましくは、被検対象の花の花弁または萼に照射される光は、波長が連続した光を含み、計測装置はさらに、測定処理のための波長の光を透過する波長フィルタと、被検対象の花の花弁または萼に波長が連続した光が照射されたときに、当該花弁または萼からの光を、波長フィルタを介して受光する受光素子を備え、光強度取得部は、受光素子により受光された光の強度情報を取得する。
【００２８】
好ましくは、光源は波長が連続した光を照射する連続光源を含み、計測装置は、波長が連続した光を照射する連続光源と、連続光源により被検対象の花の花弁または萼に光が照射されたときに、当該花弁または萼からの光の強度を、波長毎に取得する分光器を含む。
【００２９】
好ましくは、計測装置は、当該計測装置とは別に外部装置を備え、光源または測定部は、外部装置に含まれる。
【００３０】
好ましくは、光源は、励起光源と、当該励起光源からの光の波長を変換する蛍光体とを含む。
【００３１】
好ましくは、被検対象の花の花弁または萼への照射光は、１１００ｎｍ以上の波長を有し、光の強度情報は、１１００ｎｍ以上の波長の光の吸光度を含む。
【００３２】
好ましくは、分析モデルを格納するための記憶部は、書き換え可能である。
好ましくは、計測装置は、当該計測装置の外部から分析モデルを取得し、取得された分析モデルを記憶部に格納する。
【００３３】
この発明のある局面に従うネットワークシステムは、上記に述べた計測装置と、サーバ装置とを含む。計測装置は、さらに、端末通信インターフェイスを、備え、端末通信インターフェイスを介して計測処理の計測結果をサーバ装置へ送信し、サーバ装置から受信する変更データに基づいて記憶部に記憶された分析モデルを変更し、サーバ装置は、サーバ通信インターフェイスと、記憶部の分析モデルを変更または追加するための管理データを記憶するためのサーバメモリと、を備え、サーバ通信インターフェイスを介して計測装置から受信した計測結果に基づいて変更データを生成し、サーバ通信インターフェイスを介して当該変更データを介して計測装置へ送信する。
【００３４】
この発明のさらに他の局面に従う計測方法は、花の花弁または萼に含有された糖を計測する装置における計測方法であって、装置は、花の花弁または萼が含有する糖を分析するために用いる分析モデルを格納するための記憶部を備える。
【００３５】
計測方法は、被検対象の花の花弁または萼から受光する光の強度情報を取得するステップと、記憶部の分析モデルと、取得された光の強度情報とに基づき、花弁または萼に含有された糖の分析処理を実施するステップと、を備える。
【００３６】
この発明のさらに他の局面に従うプログラムは、プロセッサを備えるコンピュータに、花の花弁または萼に含有された糖の計測方法を実行させるためのプログラムであって、コンピュータは、花の花弁または萼が含有する糖の分析処理に用いる分析モデルを格納するための記憶部を備える。
【００３７】
プログラムは、プロセッサに、被検対象の花の花弁または萼から受光する光の強度情報を取得するステップと、記憶部の分析モデルと、取得された光の強度情報とに基づき、分析処理を実施するステップと、を実行させる。
【発明の効果】
【００３８】
本発明によれば、被検対象の花の花弁または萼に含有される糖を分析する際に用いる分析モデルと、当該被検対象から取得された光の強度情報とに基づき、分析処理が実施されることで、被検対象の花弁または萼に含まれる糖を、花卉を乾燥したり粉砕したりするような破壊的な方法を必要としない非破壊的な方法で計測することができる。
【図面の簡単な説明】
【００３９】
【図１】実施の形態１に係る表示例を周辺部と関連付けて示す図である。
【図２】実施の形態１に係る計測装置の外観を示す図である。
【図３】実施の形態１に係るプローブ部の一態様を示す図である。
【図４】実施の形態１に係るプローブ部の他の態様を示す図である。
【図５】実施の形態１に係る光測定部を示す図である。
【図６】実施の形態１に係る計測装置の機能構成を示す図である。
【図７】実施の形態１に係るデータベースを示す図である。
【図８】本実施の形態１に係る計測処理のフローチャートである。
【図９】実施の形態２に係る計測装置１Ａの機能構成図である。
【図１０】実施の形態２に係るデータベースを示す図である。
【図１１】実施の形態３に係る計測装置の機能構成図である。
【図１２】実施の形態４に係る計測装置の機能構成図である。
【図１３】実施の形態５に係る計測装置の機能構成図である。
【図１４】実施の形態５に係る光測定部の構成図である。
【図１５】実施の形態６に係る光測定部の構成図である。
【図１６】実施の形態８に係るネットワークシステムの構成図である。
【図１７】実施の形態８に係る計測装置の機能構成図である。
【発明を実施するための形態】
【００４０】
図面を参照しつつ、本発明の実施の形態について説明する。以下の説明では、同一の部品および構成要素には同一の符号を付してある。それらの名称および機能も同じであるから説明は繰返さない。
【００４１】
[実施の形態１]
実施の形態１では、被検対象（計測対象）の花の花弁に含有された糖を計測する装置を説明する。計測装置は、被検対象の花の複数の開花段階それぞれに関連付けて、糖の計測処理に適用される分析モデルを格納するための記憶部を有し、ユーザ操作内容が示す開花段階に関連付けされた記憶部の分析モデルと、被検対象の花弁または萼から受光する光の強度情報とに基づき、計測処理を実施するよう構成される。
【００４２】
ここでは、光強度情報には、吸収スペクトルが含まれる。また、計測処理は、後述する受光信号を得るための測定処理と、受光信号が示す受光強度を用いて花の花弁に含有された糖を分析（量、種類を検出）する分析処理を含む。
【００４３】
本実施の形態においては、主に観賞用の花である花卉を対象として計測するが、これに限定されず植物の花全般に適用することができる。また、被検対象を花卉の花弁としているが、花弁に限定されず、萼であってもよい。つまり、花卉の品種によっては萼片など他の器官が花弁として観賞されているものや花弁の役目をしているものもある。こうした場合には、被検対象として花弁の代わりに萼片を用いて、萼片の形状変化を開花段階として扱うことで、萼に含有されている糖を計測することができる。以下では便宜上、萼片のような他の器官が花弁の役割をしている場合も花弁と見なして説明する。
【００４４】
なお、糖は花弁だけでなく葉にも蓄積されるが、被検対象として葉は用いない。つまり、開花に直接関与する糖は葉ではなく花弁に蓄積される。また、葉に蓄積される糖はエネルギーの備蓄のためのものであって開花との相関は小さい。したがって、本実施の形態では、花弁に含有された糖を計測する。
【００４５】
（装置の概略構成）
図１は、実施の形態１に係る表示例を周辺部と関連付けて示す図である。図２は、実施の形態１に係る花卉品質計測装置１（以下、単に計測装置１という）の外観を示す図である。図２を参照して、計測装置１は、本体２および本体２とは別体のプローブ部２０を備える。
【００４６】
図１を参照して、本体２は、筐体を有し、筐体の表面に表示部１１と入力部１２を備えるともに、筐体内部に主制御部３１（後述の図６参照）などを内蔵する。表示部１１は、液晶などのディスプレイとタッチパッドを組合わせたタッチパネルに相当する。また、入力部１２は、ユーザにより操作される各種ボタンおよびスイッチを有する。例えば、入力部１２は、電源スイッチ１３、校正スイッチ１４、計測条件を指定または決定するために操作されるメニューキー１５、糖の計測処理の開始を指示するために操作される計測スイッチ１６、およびホールドスイッチ１７を含む。校正スイッチ１４は、吸収スペクトルを校正または算出するための後述するダークスペクトルまたは標準スペクトルを取得するために操作される。ホールドスイッチ１７は、計測結果を表示部１１に表示した状態を保持するために操作される。
【００４７】
なお、本体２は、ユーザ操作を受付けるために、タッチパネルと入力部１２を備えるが、いずれか一方を備えるとしてもよいし、入力部１２を備えていない場合、タッチパネルが入力部を兼ねていてもよい。また、ディスプレイは、カラーまたはモノクロのいずれでもよいが、後述するようにディスプレイには花卉の開花段階を表す絵柄などの模式図が表示されるから、カラーであることが好ましい。
【００４８】
（表示例）
図１を参照して、表示部１１には、花卉の複数の開花段階を表す情報１１Ｄが、当該花卉の品種データ１１Ｅと関連づけて表示される。また、表示部１１には、本体２に内蔵された計時部３８（図６参照）により計時された日付および時刻の少なくともいずれかを示す時間情報１１Ａ、被検対象である花卉の周囲の温度１１Ｂおよび湿度１１Ｃ、ならびにユーザが指定した開花段階を示す情報１１Ｆが表示される。情報１１Ｄは、蕾、３分咲き、５分咲き、満開などの４つの開花段階を示す絵柄を含む。なお、ここでは、開花段階は４段階としているが、４段階に限定されない。また、花卉の品種などに応じて情報１１Ｆが示す開花段階の数を変更してもよい。
【００４９】
糖の計測を始めるにあたって、ユーザは、電源スイッチ１３を操作し、メニューキー１５を操作する。ユーザがメニューキー１５を操作することにより、被検対象である花卉の品種が指定されると、表示部１１には、時間情報１１Ａ、温度１１Ｂ、湿度１１Ｃ、情報１１Ｄ、および指定された品種データ１１Ｅが表示される。ユーザが、被検対象である花卉の実際の開花段階を、表示された情報１１Ｄのうちのいずれかの絵柄をタッチパネルでタッチ（指定）する。これにより、ユーザは開花段階を指定し、指定された開花段階を示す情報１１Ｆが表示部１１に表示される。
【００５０】
被検対象の開花段階の指定は、ユーザによる手動指定に限定されない。例えば、本体２は、カメラ（図示せず）により撮影された被検対象の画像を取得し、取得された画像を解析（パターンマッチングを含む）し、解析結果から開花段階を判別するとしてもよい。ここでは、花卉の栽培者（ユーザ）自身が目視で判別した方がより正確であり使い勝手もよいため、ユーザが情報１１Ｄをタッチ操作することにより開花段階が指定されるとする。
【００５１】
なお、開花段階は必ずしも花卉の品種毎に設定しなくとも花弁に含有された糖を計測することができる。しかし、キンギョソウのように沢山の小花からなる多花の場合と、ひとつの蕾からなるバラなどの場合とでは開花状況、計測の条件が大きく異なる。したがって、本実施の形態では、より正確な計測のために、このような花卉の特性を考慮して品種に関連付けて開花段階の情報１１Ｄが表示され、且つ被検対象は品種毎に指定された開花段階に基づき計測される。
【００５２】
また、開花段階は花卉に含まれる糖の含有量および種類、ならびに花の形状変化に強い相関を有するため、被検対象の開花段階を示す情報１１Ｆは、含有された糖の計測処理に適用される分析モデル（後述する）の選択において主要な条件のひとつとして用いられる。したがって、情報１１Ｄのように、開花段階をグラフィカルにユーザに表示することにより、被検対象の開花段階の選択操作においてユーザをサポートすることができ、精度の良い計測が可能となる。
【００５３】
（プローブ部２０の構成）
図２〜図５を参照して、プローブ部２０の構成を説明する。プローブ部２０は、信号を伝送するためのコード３０により本体２に接続される。なお、本実施の形態ではコード３０を有線としているが、無線で信号を伝送してもよい。プローブ部２０は、例えば合成樹脂で形成され外装部材２２、２３および２４を含む筐体を備える。筐体は、外装部材２４上に、外装部材２２と２３が載置された形状を有する。外装部材２２はユーザがプローブ部２０を保持する時に握りやすい形状に形成されている。プローブ部２０と本体２はコード３０を介して信号を伝送する。
【００５４】
外装部材２３は、内装されたアーム（図示せず）、取付孔を有する取り付けアングル２６、およびアームの一方端に取り付けられた押圧部２９を有する。取り付けアングル２６は、外装部材２４に内装されたヒンジなどの支持部（図示せず）に、巻きバネ（図示せず）と共に取り付けられている。押圧部２９が押圧されると、外装部材２３のアームの他方端が開いた状態となる（図４参照）。ユーザは開いた部分に被検対象の花弁を置き、押圧部２９が離される（押圧されなくなる）と、アームは閉じて、花弁は外装部材２３と２４で挟まれて保持された状態となる（図３参照）。このような保持効果が奏されるように、外装部材２３は、取り付けアングル２６に設けられた取付孔または巻きバネを介して筐体に取り付けられる。
【００５５】
外装部材２３は、上述のように花弁を挟む部分において標準反射板２５（図３参照）を有し、同様に、外装部材２４は光測定部２１を有する。外装部材２３の標準反射板２５は、光測定部２１と相対するように配置される。標準反射板２５はプラスチックや硫酸バリウムなどの光を反射しやすい部材からなる。
【００５６】
また、プローブ部２０は筐体内部に被検対象の周囲の環境条件を測定する環境測定部３３（図示せず）を備える。環境測定部３３は、花弁の温度および花弁周囲の湿度を測定する温度センサと湿度センサを含む。このうち温度センサは、外装部材２４に内蔵された環境測定部３３ａとして示される。環境測定部３３ａ（温度センサ）は、上記に述べたように外装部材２３が閉じた状態であるとき、挟まれた花弁と接触可能なように配置されている。なお、環境測定部３３ａの配置態様はこれに限定されない。例えば、外装部材２３の中に備えられてもよい。また、接触式の温度センサに限定されず、非接触で温度を測定する方式のセンサを用いてもよい。また、花弁の温度ではなく、花弁の周囲の温度を測定してもよいが、本実施の形態では、花弁自体の温度を測定する。これにより、正確に花弁の状態を検知し、検知に基づき花弁に含まれる糖を正確に計測することができる。
【００５７】
図５を参照して、光測定部２１は、載置された花弁に光を照射可能なように６つの照射部２７、および花弁からの光を受光する受光部２８を備える。なお、本実施の形態では透過光だけでなく拡散反射光も受光するために照射部２７および受光部２８を同じ外装部材２４側に設けている。しかし必ずしもこの構成の通りでなくともよく、例えば透過光のみで計測する場合には照射部と受光部が対向するよう異なる外装部材に設けてもよい。照射部２７は６個としているが、これに限定されない。照射部２７および受光部２８は光を透過する波長特性を有した透明部材のはめ込みカバーで防水されている。透明部材には、例えば石英ガラスまたは合成石英ガラスを用いることができる。図示されるように６つの照射部２７は、受光部２８を取り囲むように配置される。光測定部２１は、図３のように挟まれた状態の花弁に、６つの照射部２７からの光を照射すると、受光部２８は、花弁からの光、すなわち照射光のうち花弁を透過した光を受光する。なお、花弁と光測定部２１の大きさが必ずしも同じである必要はなく、花弁より受光部２８が大きかったり花弁の方が照射部２７より大きかったりした場合も、花弁の一部に光を照射して放出された光のスペクトルを測定できれば吸収スペクトルを得ることができる。
【００５８】
本実施の形態１では照射部２７は外装部材２４に内蔵された半導体発光素子（ＬＥＤ：Light Emitting Diodeなど）を含み、半導体発光素子による発光は花弁に照射される。受光部２８は外装部材２４に内蔵された受光素子（ＰＤ：Photo Diode）を含み、受光素子は受光した光の強度に応じた大きさの電気信号として電流を出力する。
【００５９】
なお、受光素子はＰＤに限定されず、フォトトランジスタ、アバランシェフォトダイオード、または光電子倍増管などの受光素子が用いられてもよい。
【００６０】
光測定部２１は、上述した測定処理を実施する「測定部」に相当する。測定部では、光源（照射部２７）からの光が花弁に照射されたときに、受光部２８は花弁からの光を受光し、その受光強度に応じた大きさの電流を示す電気信号を出力する。この電気信号を、以下では、受光信号ともいう。
【００６１】
光測定部２１は複数の波長の光を照射および受光できるように、照射部２７として、本実施の形態では異なる波長の光を発する複数の半導体発光素子（ＬＥＤ）が用いられる。また、受光部２８のＰＤが光を検知することが可能な波長範囲（すなわち、ＰＤによる光電変換が可能な光の波長範囲）は、照射部２７から照射された光の発振波長が存在するように選定される。
【００６２】
なお、ＬＥＤまたはＰＤの個数、波長および出力などの仕様は、計測する花卉の品種、または使用する波長、または計測装置１の仕様などに応じて適宜選択されてよい。また、アームに、例えばパッキンが備えられていれば、花弁を傷めないようにかつ外部からの光が迷光として受光部２８に入らない効果を得ることができる。
【００６３】
本実施の形態１では、照射部２７から照射される光の波長は、糖の吸収スペクトル（後述する）が得やすい１１００ｎｍ以上を用いる。なお、１１００ｎｍ以下の領域の波長であっても、吸収スペクトルを得ることができるが、クロロフィルのような色素による光の反射が強い領域であり、花弁の内部に光が吸収されにくく、戻ってきた光に含まれる情報は花弁の表面の情報が支配的となってしまう。したがって、本実施の形態１では、花弁に含有される糖をより精度よく計測するために、１１００ｎｍ以上の波長の光を照射する。なお、近赤外光の定義は一般に２５００ｎｍまでとされているので本実施の形態でも２５００ｎｍまでを想定しているが、計測する花弁の種類によっては必ずしも２５００ｎｍまででなくともよく、花弁内部の情報を精度よく得られる波長であれば花弁に含有される糖を計測することができる。
【００６４】
このようにプローブ部２０により計測された受光信号、および被検対象（花弁）の周囲の環境条件（温度、湿度）は、コード３０を介して本体２に送信される。本体２は、受信した環境条件を温度１１Ｂおよび湿度１１Ｃとして表示部１１に表示し、また受信内容を用いて糖の計測処理を実施する。
【００６５】
実施の形態１では、本体２およびプローブ部２０は図示しない電池ボックスを備えて、電池から電力が供給されることで、持ち運びに便利である。なお、電力供給源は電池に限定されず、商用電源から供給されてもよい。また、プローブ部２０は、コード３０を介して本体２から電力信号を受信するとしてもよい。
【００６６】
また、本実施の形態ではプローブ部２０は、コード３０を介して本体２に接続されることで、本体２とは別個に動かすことができる。したがって、ユーザはプローブ部２０を花弁の傍へ持っていきやすく、より精度よく環境条件を測定することができる。
【００６７】
（計測装置の機能）
図６を参照して、計測装置１の本体２は、計測装置１の各部を制御して各種の処理を実行する主制御部３１を備える。また、本体２は、主制御部３１に、バス（図示せず）を介して接続された表示部１１、入力部１２、計時部３８、プログラムおよびデータを記憶するための記憶部３９、および外部記憶媒体７２（図２参照）が着脱可能に装着されるＩ／Ｆ（インターフェイス）部７３を備える。外部記憶媒体７２は、ＵＳＢ（Universal Serial Bus）メモリ、ＣＤ−Ｒ（Compact Disk-Recordable）／ＤＶＤ−Ｒ（Digital Versatile Disk Recordable）、外付けＨＤＤ（Hard disk drive）、ＳＤメモリカード（Secure Digital memory card）などを含む。計測装置１は、プロセッサ（ＣＰＵ）を備える「コンピュータ」の一実施例である。
【００６８】
主制御部３１は、計測装置１の動作を統括的に制御するために図示しないＣＰＵ（Central Processing Unit）を含んで構成される。主制御部３１は、分析部３２、プローブ制御部３５および分析モデル判定部３７の機能を有する。主制御部３１のこれら機能は、記憶部３９に格納されたプログラム、またはプログラムと回路の組合せに相当する。ＣＰＵは、記憶部３９からプログラムを読出し、読出されたプログラムを実行することにより、各部の機能を実現する。ここでは、主制御部３１は、糖の計測処理を実施する「処理部」の一実施例である。
【００６９】
また、主制御部３１のＣＰＵは、装着された外部記憶媒体７２を読み書きするように、Ｉ／Ｆ部７３を制御する。外部記憶媒体７２には、データまたはプログラムが格納される。なお、外部記憶媒体７２は読み出しのみ可能である構成でもよく、この場合は主制御部３１のＣＰＵは、外部記憶媒体７２からの読み出しを行うように、Ｉ／Ｆ部７３を制御する。
【００７０】
記憶部３９は、過去データ記憶部３４および分析モデル記憶部３６を含む。分析モデル記憶部３６は、主制御部３１が実行する各種のプログラム、および、プログラムによって使用されるデータを格納するための記憶装置である。分析モデル記憶部３６は、糖の計測処理のためのプログラムがロードされる領域またはプログラムが実行される際に使用される作業領域などを含む。また、分析モデル記憶部３６は、プログラムの他に、計測に使用される分析モデルなどのデータ、温度または湿度などの被検対象の周囲の環境条件を含むデータなどを記憶する。
【００７１】
過去データ記憶部３４には、計測処理が実施されたとき、当該計測処理に関する情報であって、用いた分析モデルの情報（例えば、後述するＩＤ）、開花段階、環境条件、当該計測処理の結果などを含む情報が格納される。計測処理の結果には、測定処理により取得された受光信号、分析処理による受光強度情報、糖の種類および量を含む。過去データ記憶部３４は、「結果格納部」の一実施例に相当する。
【００７２】
また、記憶部３９には、花卉の品種毎に、当該花卉の複数の開花段階を示す情報１１Ｄが格納される。情報１１Ｄは、主制御部３１により読出されて表示部１１に表示される。
【００７３】
分析部３２は、過去データ記憶部３４および分析モデル記憶部３６のデータを読み書きする。また、分析部３２は、プローブ制御部３５および分析モデル判定部３７と情報を入出力する。
【００７４】
プローブ制御部３５は、光測定部２１および環境測定部３３を制御する。分析部３２は、光測定部２１の受光部２８が出力する受光信号を入力し、入力した受光信号を光の波長毎の受光強度を示すデータである光スペクトルに変換する。光スペクトルは、光の強度情報に相当する。また、環境測定部３３による測定された温度または湿度は、分析部３２に出力される。環境測定部３３および分析部３２は、「環境条件取得部」の一実施例である。また、分析部３２は、「光強度取得部」の一実施例である。
【００７５】
なお、実施の形態１では、主制御部３１（より特定的には、分析部３２）により光スペクトルが取得されるが、主制御部３１に代替して光測定部２１が、受光信号を光スペクトルに変換し、変換後の光スペクトルを主制御部３１に出力してもよい。この場合は、プローブ部２０は、光の強度情報を主制御部３１に出力する「外部装置」の一実施例に相当する。
【００７６】
分析モデル判定部３７は、分析部３２を介して入力したユーザの操作内容（被検対象の開花段階、品種）と、分析部３２を介して入力した被検対象の周囲の環境条件（温度、湿度）の情報を受け付ける。分析モデル判定部３７は、受け付けた情報に基づいて、分析モデル記憶部３６から計測処理に適した分析モデルを検索する。検索により読出された分析モデルは、分析部３２に出力される。分析モデル記憶部３６に格納される分析モデルの詳細は後述する。
【００７７】
記憶領域に相当する分析モデル記憶部３６および過去データ記憶部３４を有する記憶部３９は、例えば、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）、ＳＤＲＡＭ（Ｓｙｎｃｈｒｏｎｏｕｓ  ＤＲＡＭ）、ＤＤＲ−ＳＤＲＡＭ（Ｄｏｕｂｌｅ  Ｄａｔａ  Ｒａｔｅ  ＳＤＲＡＭ）、ＲＤＲＡＭ（Ｒａｍｂｕｓ  Ｄｙｎａｍｉｃ  Ｒａｎｄｏｍ  Ａｃｃｅｓｓ  Ｍｅｍｏｒｙ（登録商標））、Ｄｉｒｅｃｔ−ＲＤＲＡＭ（Ｄｉｒｅｃｔ  Ｒａｍｂｕｓ  Ｄｙｎａｍｉｃ  Ｒａｎｄｏｍ  Ａｃｃｅｓｓ  Ｍｅｍｏｒｙ（登録商標））、フラッシュメモリ、ＲＯＭ（Ｒｅａｄ  Ｏｎｌｙ  Ｍｅｍｏｒｙ）、マスクＲＯＭやＰＲＯＭ（Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  ＰＲＯＭ）、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）などによって実現される。
【００７８】
主制御部３１は、分析モデル記憶部３６に記憶されているプログラムを実行することによって、各種の演算を行なう。このプログラムは、被検対象に含まれる糖の量または種類の分析を行なうためのプログラム、各部の制御プログラム、サブルーチン、分析モデルの精度管理プログラム、通信処理用のプログラム、分析結果の精度があらかじめ設定された基準を満足しているか判断するためのプログラム、過去データ記憶部３４に記憶された過去データと今回取得されたデータとの比較または経時変化のグラフ化を行うためのプログラム、それらの判断基準の設定等が含まれる。
【００７９】
主制御部３１は、さらに、入力部１２または表示部１１のタッチパネルにおけるユーザの操作内容を受付ける操作受付部３１Ａと、表示部１１の表示動作を制御する表示制御部３１Ｂを、さらに備える。表示制御部３１Ｂは、例えばＤＳＰ（Digital  Signal  Processor）を含む。表示制御部３１Ｂは、図１に示した情報と、計測結果、計測日時、計測処理完了までの残り時間、計測処理終了の通知、および計測エラーの報知などの情報を表示するように、表示部１１を制御する。
【００８０】
（データベース）
分析モデル記憶部３６は、図７のデータベース１０２１ａを有する。図７を参照してデータベース１０２１ａは、リレーショナルデータベースであって、花卉の品種毎に、複数の開花段階それぞれに関連付けて、分析部３２による糖の計測処理に適用される分析モデルの識別子であるＩＤ（Identification）を格納する。さらに、分析モデルの情報は、花卉の周囲の環境条件を表す温度および湿度毎に格納される。
【００８１】
分析モデルは、花弁に含有された糖を計測するために、多変量解析や判別分析、パターン認識など、糖の量または種類の分析に必要なプログラムと分析モデルを含む。分析モデルとはスペクトルデータから成分値や成分の特性を算出するためのモデル（演算式等）としての役割を有するものを示す。より具体的には、含まれる糖の量を計測するための定量分析および含まれる糖の成分（種類）を計測するための定性分析におけるデータ解析またはデータ処理のような演算に使用されるものを含む。例えば、多変量解析であれば検量線またはキャリブレーションモデル、回帰分析であれば回帰式、定性分析であれば分類基準、パターン認識であればパターンモデルなどが該当する。本実施の形態では、便宜上、これらを分析モデルと。総称し、各ＩＤに対応した分析モデルのデータ（演算式等）は記憶部３９の予め定めた領域に格納される。したがって、データベース１０２１ａのＩＤに基づき、記憶部３９の予め定めた領域が検索されることにより、対応の分析モデルが読出される。
【００８２】
図７のデータベース１０２１ａは、例えば、品種：バラおよび開花段階：２の分析モデルのＩＤ群と、品種：キクおよび開花段階：１の分析モデルのＩＤ群が示される。当該バラのＩＤ群は、複数の環境条件（温度と湿度の組合せ）のそれぞれに対応したＩＤを含む。同様に、キクの分析モデル群は、複数の環境条件（温度と湿度の組合せ）のそれぞれに対応したＩＤを含む。なお、データベース１０２１ａに登録される花卉の品種として、ここでは、市場での取引量が比較的多い品種であるバラ、キク、ガーベラ、トルコギキョウ、およびカーネーションなどの中からキクとバラを例示したが、被検対象の花卉はこれらに限定されない。
【００８３】
データベース１０２１ａの分析モデルのＩＤは、開花段階に分類されて登録されることにより、開花段階の変化に伴い花弁が含有する糖の量または種類が変化したとしても、データベース１０２１ａから開花段階毎に応じた分析モデルのＩＤを検索することができる。さらに、計測時の環境条件が変化したとしても、環境条件に応じた分析モデルのＩＤを検索することができる。
【００８４】
分析モデル判定部３７は、ユーザが指定した条件（以下、ユーザ入力条件と称する）と環境測定部３３が測定した温度または湿度を含むデータ（以下、環境条件とする）とに基づき、分析モデル記憶部３６のデータベース１０２１ａを検索し、検索結果に基づき分析モデルのＩＤを決定し、決定されたＩＤに対応する分析モデルを読出す。読出された分析モデルは分析部３２に出力される。
【００８５】
分析部３２は、花弁について取得された光スペクトルと、分析モデル記憶部３６から読出された分析モデルとに基づいて、花弁に含まれる糖の種類または量を計測する。これにより、花弁に含まれる糖の種類または量についての分析処理が実施される。
【００８６】
具体的には、光測定部２１は、照射部２７に１１００ｎｍ以上の波長の光を照射させる。照射された光は、花弁内部で吸収されながら透過あるいは散乱（多重散乱を含む）を経て、受光部２８により受光される。このとき後方散乱光、正反射光、花弁を透過して標準反射板２５に反射されて戻ってきた光なども花弁を介して出力される。このように、照射部２７が花弁に光を照射したとき、花弁からの光には、花弁内部を経た光成分、すなわち花弁内部の情報が含まれる。光測定部２１は、受光部２８からの受光信号を分析部３２に出力する。分析部３２は、光測定部２１からの受光信号に基づき光スペクトルを取得し、これを吸収スペクトルに変換する。分析部３２は、データベース１０２１ａから読出された分析モデルと、吸収スペクトルを用いて演算を含む分析処理を実施することで、花弁に含まれる糖の量または種類を計測する。
【００８７】
分析部３２は、計測処理した結果を内部のメモリに格納する。分析部３２は、計測処理の結果を出力する。出力の態様には、表示部１１に計測結果を表示させる、または、外部記憶媒体７２に計測結果を格納する、または、外部の機器（図示せず）に計測結果を送信するなどの態様が含まれる。なお、ユーザは、入力部１２を操作することによって計測結果の出力態様を選択的に切替えることができる。
【００８８】
また、分析部３２は、計測処理を実行して得た計測結果、当該計測処理に用いた環境条件および分析モデルの情報などを含む過去データを生成し、生成された過去データを過去データ記憶部３４に格納する。過去データ記憶部３４の情報は表示部１１に表示可能である。また、分析部３２はこれらの過去データを糖の分析に使用することもできる。
【００８９】
（計測処理）
図８は、本実施の形態１に係る計測処理のフローチャートである。このフローチャートは、予めプログラムとして記憶部３９に格納される。主制御部３１のＣＰＵは、記憶部３９からプログラムを読出し、読出されたプログラムを実行する。
【００９０】
まず、ユーザによって計測装置１が起動される。例えば、電源スイッチ１３が操作されることにより、計測装置１の各部に電力が供給されると、図８のプログラムが実行される。
【００９１】
まずステップＳ１１０では、分析部３２は、ユーザが選択すべき項目である開花段階を含む各種条件を入力するための画面を表示部１１に表示する。換言すれば、分析部３２は、入力部１２を介して、ユーザから開花段階などの計測や分析におけるオプションの条件を決定するユーザ入力条件の命令を受け付ける状態になる。
【００９２】
ステップＳ１１１では、分析部３２は、被検対象の花卉の開花段階を含む入力条件を受付ける。具体的には、ユーザは、表示部１１のタッチパネルまたは入力部１２のメニューキー１５などを操作して、被検対象の花卉の品種を指定する。分析部３２は、入力部１２から操作受付部３１Ａを介して受付けた操作内容（花卉の品種）に基づき、記憶部３９を検索する。検索により、当該花卉の品種に対応した開花段階を表す情報１１Ｄが読出されて、読出された情報１１Ｄは、表示制御部３１Ｂを介して表示部１１に表示される（図１参照）。このとき、ユーザが入力した品種データ１１Ｅも表示される。ユーザは、入力部１２を操作して、表示部１１に表示された情報１１Ｄが表す開花段階のうちから、被検対象の花卉の開花段階を指定する。また、このとき、ユーザは、入力部１２を操作して、開花段階以外の計測条件、計測方法、分析項目のオプションなどの条件を入力することができる。例えば、糖の定量分析を行うかそれとも定性分析を行うかといった選択をすることができる。
【００９３】
分析部３２は、入力部１２から操作受付部３１Ａを介して受付けたユーザ操作内容に基づき、選択された開花段階の情報１１Ｆまたは入力条件を、表示制御部３１Ｂを介して表示部１１に表示する。ユーザは、表示内容を確認した場合はメニューキー１５の決定操作を行う。なお、ユーザは、表示内容（入力内容）を訂正したい場合には、入力部１２を操作して訂正することができる。
【００９４】
ステップＳ１１２では、分析部３２はステップＳ１１１で受付けた入力条件に基づき、分析を実施するためのプログラムを、分析モデル記憶部３６から読出す。定量分析のためのプログラムおよび定性分析のためのプログラムのいずれかが読出される。
【００９５】
分析部３２は分析モデル記憶部３６からプログラムを読出すと、校正準備ができた旨を、表示制御部３１Ｂを介して表示部１１に報知（表示）して、処理をステップＳ１１３に進める。
【００９６】
ステップＳ１１３では、分析部３２は、校正用の光スペクトルと湿度Ｈを取得する。具体的には、ユーザは、表示部１１の報知に従って、光測定部２１と標準反射板２５の間に花弁を挟んでいない状態で外装部材２３と外装部材２４とが閉じていることを確認して校正スイッチ１４を操作する。分析部３２は、操作内容に基づく校正開始の指示を、プローブ制御部３５に出力する。プローブ制御部３５は、校正開始の指示に基づき、環境測定部３３に空気中の湿度Ｈを測定させる。また、光測定部２１に、照射部２７からの光を照射しない場合と照射した場合との受光信号をそれぞれ測定させ、測定された受光信号を分析部３２に送信させる。このとき、花弁が光測定部２１にセットされていないブランクの状態であるので、分析部３２は、光測定部２１からの受光信号に基づくスペクトル（光を照射していない場合の光スペクトル）を、ダークカウントを差し引くためのダークスペクトルとして取得する。また、分析部３２は、光測定部２１から、光を照射した場合に入力するする受光信号（標準反射板２５に反射された光の受光信号）からのスペクトルを、吸光度算出用の標準スペクトルとして取得する。
【００９７】
また、分析部３２は、環境測定部３３から湿度を取得する。校正用の光スペクトルと湿度とが取得されると、計測準備ができた旨が表示部１１に報知（表示）される。そして、処理はステップＳ１１４に進む。
【００９８】
ステップＳ１１４では、分析部３２は、図３の状態における花弁からの光スペクトルと、環境測定部３３により測定された温度を取得する。具体的には、表示部１１の報知に従ってユーザは、被検対象の花卉の花弁をプローブ部２０にセットし、計測スイッチ１６を操作する。具体的には、ユーザは押圧部２９を押してプローブ部２０のアームを開き、光測定部２１と標準反射板２５の間に花弁を挟んでアームを閉じ、計測スイッチ１６を操作する。分析部３２は、計測スイッチ１６の操作内容に基づき、計測開始の指示信号をプローブ制御部３５に出力する。プローブ制御部３５は、指示に応じて、光測定部２１を花弁からの受光信号を検出するように制御するとともに、環境測定部３３を花弁の温度を測定するように制御する。プローブ部２０から、受光信号および測定された温度のデータが、分析部３２に送信される。分析部３２は、受光信号および温度Ｔを受信する。その後、処理はステップＳ１１５に進む。
【００９９】
ステップＳ１１５では、分析モデル判定部３７はデータベース１０２１ａに、該当する分析モデルのＩＤが登録されているかを判定する。具体的には、分析部３２はＳ１１３とＳ１１４で取得した環境条件（温度Ｔと湿度Ｈ）と、Ｓ１１１で取得しユーザ入力条件とを分析モデル判定部３７に出力する。分析モデル判定部３７は、分析部３２からの入力内容に基づき分析モデル記憶部３６のデータベース１０２１ａを検索し、検索結果に基づき、該当するＩＤが登録されている否かを判定する。
【０１００】
ステップＳ１１５において、検索結果に基づき、環境条件（温度Ｔと湿度Ｈ）とユーザ入力条件に関連付けされたＩＤ（すなわち分析モデル）が登録されていないと判定されると（ステップＳ１１５でＮＯ）、分析モデル判定部３７は、分析モデル未登録の通知を分析部３２に出力する。処理はステップＳ１２０に進む。ステップＳ１２０では、分析部３２は、分析モデル未登録の通知に基づき、メッセージを表示部１１に表示する。その後、処理は終了する。ステップＳ１２０の表示メッセージには、検索に用いた環境条件（温度Ｔと湿度Ｈ）およびユーザ入力条件、ならびに計測処理が不可能である旨のメッセージが含まれる。なお、検索に使用した条件の全てを満たす分析モデルが登録されていない場合には、全てではなくとも条件のいくつかを満たすような近いモデルを選択できるようにしてもよい。近いモデルを選択することができた場合は、処理はステップＳ１１５におけるＹＥＳと判定される。
【０１０１】
なお、ステップＳ１２０では、検索に用いた環境条件およびユーザ入力条件の全てを表示するようにしたが、ヒットしなかった一部の検索条件のみを表示してもよい。例えば、ユーザ入力条件（品種および開花段階）に対応した分析モデルは登録されていたが、当該分析モデルに、環境条件（温度Ｔまたは湿度Ｈ）に合致したものが含まれていなかった場合には、ステップＳ１２０では、この環境条件のみを表示するようにしてもよい。
【０１０２】
一方、ステップＳ１１５において、検索結果に基づき、分析モデルが登録されていると判定されると（ステップＳ１１５でＹＥＳ）、分析モデル判定部３７は、検索結果に基づき、記憶部３９から分析モデルを読出し、読出された分析モデルを分析部３２に出力する（ステップＳ１１６）。その後、処理はステップＳ１１７に進む。
【０１０３】
ステップＳ１１７では、分析部３２は、ステップＳ１１４で光測定部２１からの受光信号に基づき取得した被検対象の光スペクトルを、吸収スペクトルに換算する。具体的には、分析部３２は、光スペクトルからステップＳ１１３で取得したダークスペクトルを用いてダークカウントを除去し、除去後の光スペクトルから、標準スペクトルを用いてランベルト・ベールの法則またはクベルカ−ムンクの式に基づき、吸収スペクトルを算出する。この吸収スペクトルの算出方法は公知であるから、ここでは説明を繰返さない。
【０１０４】
なお、本実施の形態では連続的なスペクトルではなく発振波長の異なる複数のＬＥＤからの光を花弁に照射した場合に計測されたそれぞれの波長の光の強度から、吸収スペクトルを離散的に算出したが、この場合においても適切な発振波長を使用することで精度よく糖を計測するための吸収スペクトルを取得することができる。
【０１０５】
計測装置１はＳ１１２で読出したプログラムによって糖の定量分析または定性分析を行うことができる。本実施の形態では、これら分析プログラムを用いて糖の含有量を求める。この場合、花弁に照射されて受光部２８に到達する光には花弁の中で拡散反射を起こしている光などが含まれることに鑑みて、クベルカ−ムンクの公式に従って、標準スペクトルとＳ１１４の光スペクトルとの対数をとれば、疑似的な吸収スペクトルが得られる。すると糖の吸収に帰属する波長における花弁の光の吸収の強さ、つまり吸収スペクトルの値が糖の含有量と比例する効果が得られる。実際の吸収スペクトルでは、糖以外に含有される成分が様々に重なり合うため、単純に光強度と糖の量が比例するわけではないが、多変量解析または重回帰分析のような一般的な分析手法を用いることで吸収スペクトルから糖の含有量を算出することができる。
【０１０６】
本実施の形態では照射部２７から照射する光の波長は花弁の内部に到達しやすい波長である１１００ｎｍ以上の波長を用いる。花弁の内部の情報を含む吸収スペクトルを用いるので、植生指標などで一般的に用いられるような花弁の表面から反射される光の反射率を測定する反射スペクトルを用いるよりも、糖を精度よく計測することができる。本実施の形態においても分析プログラムなどを対応させていれば反射率を用いた糖の計測も可能であるが、この場合、計測の精度は落ちる。
【０１０７】
ステップＳ１１８では、分析部３２は、分析モデル判定部３７からの分析モデルを、ステップＳ１１７で得た吸収スペクトルに適用して分析処理を実施し、糖の種類を特定し、または含有量を算出（計測）する。
【０１０８】
分析プログラムに従った計測結果が得られると、分析部３２は計測結果と分析の情報を表示部１１に表示させる（ステップＳ１１９）。このときユーザは、結果の保存を、入力部１２を操作して命令することができる。例えば命令を受けた分析部３２は、使用したプログラム（定性分析または定量分析のプログラム）、分析モデルのＩＤ、ステップＳ１１１で入力したユーザ入力条件、ステップＳ１１３およびＳ１１４で取得した環境条件、および今回得られた計測結果（糖の種類および量）を関連付けて、過去データ記憶部３４に格納する。その後、処理は終了する。
【０１０９】
（実施の形態１の変形例）
主制御部３１は、計測装置１の動作状態、その他ユーザへのお知らせなどを示すテキストあるいは画像を表示部１１に表示させてもよい。
【０１１０】
また、主制御部３１は、ユーザが入力した内容、計時部３８は計時する現在時間または計測日時を、表示部１１に表示させてもよい。これにより、ユーザに対して計測するときに補助となる情報を与えることができる。
【０１１１】
補助となる情報には、例えば、過去データ記憶部３４に格納されているデータが含まれる。この場合に、ユーザが朝に計測を実施した花弁について、夕方に、計測を再度実施する時に、過去データ記憶部３４から朝の計測結果を検索し、検索された計測結果を表示部１１に表示させる。ユーザは、表示部１１において、夕方の計測結果と過去（朝）の計測結果とを比較し、含まれている糖の変化（種類または量）を確認することができる。また、主制御部３１は、含まれている糖の変化をグラフなどで模式的に表示させてもよい。これにより、朝に花卉に与えた糖が夕方になってどの程度吸収されたかを、ユーザは表示部１１の表示情報から知ることができる。
【０１１２】
データベース１０２１ａは計測装置１の製造時に分析モデル記憶部３６に格納される。また、データベース１０２１ａのデータは、ユーザにより適宜、変更され得る。例えば、ユーザが入力部１２を操作することにより、または、外部記憶媒体７２からのデータにより、または、通信ネットワーク（図示せず）を介して外部装置（図示せず）からダウンロードされるデータにより、データベース１０２１ａの分析モデルが変更（追加、削除を含む）されてもよい。
【０１１３】
なお、本体２に、メーカが後から追加した条件や分析モデルのバリエーションに対応したデータも記憶してＩＤを新たに付加できるように記憶領域とプログラムを備えてもよい。この場合には、分析モデル判定部３７は、追加された条件に応じてユーザ毎に最適な分析モデルを検索することができる。
【０１１４】
図７に示したデータベース１０２１ａには、花卉の品種と開花段階と環境条件（温度と湿度）の項目からなる各組に関連付けたＩＤに対応して分析モデルが格納されており、品種と開花段階と環境条件の組に対応するＩＤが検索に用いられる。このような関連付けを行っておけば検索の補助となるので、検索時間の短縮や、計測処理に関する負荷の軽減が可能となる。なお、ＩＤに対応する各組に含まれる項目は、品種、開花段階および環境条件に限定されず、他の種類の項目が含まれてもよい。
【０１１５】
本実施の形態においては、分析モデルを格納するデータベースは、図７に示される構成に限定されない。分析のための演算を精度よく行なえるのであればＩＤを用いなくともよい。しかし、迅速な検索を実現するために、上述のように、分析に用いる各情報が項目ごとに整理されて分類され、分析モデルにＩＤによって関連付けられていることが望ましい。特に開花の様子は品種によって全く異なるので、品種別に整理されていることが望ましい。なお、ＩＤは必ずしもデータベース１０２１ａのように数字でなくとも、数字以外の文字や記号、コードなどを用いても検索が可能である。
【０１１６】
また、本実施の形態では、データベース１０２１ａのＩＤを温度と湿度によって分類したが、必ずしも温度と湿度で分類する態様に限定されず、ユーザの入力内容に基づき分類してもよい。しかし、花卉のように水分が多く含まれる被検対象の場合には、光スペクトルの計測は温度と湿度に影響され、これら条件は分析モデルの選択にも大きく影響する。そのため、データベース１０２１ａは、計測時の温度と湿度の環境条件によって分析モデルを検索できる構成であることが望ましい。
【０１１７】
また、本実施の形態１では、計時部３８によって得られる日付および時刻の少なくともいずれかの情報を分析に反映してもよい。つまり、データベース１０２１ａにおいて、時節（時候・季節）の時間情報に関連付けて分析モデルのＩＤが格納される。計測時には、計時部３８の計時情報から時節を判定し、判定に基づきデータベース１０２１ａを検索する。これにより、データベース１０２１ａから、時節および環境条件（温度または湿度）に適合した分析モデルのＩＤを検索することができるので、当該分析モデルを用いる計測処理により、正確な計測結果を得ることができる。また、過去データ記憶部３４に計測結果の情報を格納する場合には、計測日時と関連付けて格納してもよい。これにより、ユーザは、過去データ記憶部３４から、時節に基づき過去の計測結果を検索することができる。
【０１１８】
また、花卉の品種によっては午前と午後で光合成の状態が大きく異なる。そのような品種に対してはデータベース１０２１ａのＩＤは、時間帯等の時間情報（日付および時刻の少なくともいずれか）に関連付けて格納される。計測時には、データベース１０２１ａから計時部３８の計時情報に関連付けされた分析モデルのＩＤが検索される。これにより、時間帯に応じた花卉の状態を反映した計測結果を得ることができる。
【０１１９】
なお、本実施の形態では、図６に示すように、主制御部３１は、分析部３２とプローブ制御部３５と分析モデル判定部３７とは別体（個別のモジュールなど）として備えるが、計測処理のための演算を精度よく行なえるのであれば、一体として備えてもよい。または、分析部３２とプローブ制御部３５と分析モデル判定部３７の各部を、複数のブロックに分割してもよい。
【０１２０】
また、本実施の形態においては、出力デバイスとして表示部１１を含むが、これに限定されずプリンタ、音声出力部（スピーカ）が含まれてもよい。
【０１２１】
また、本実施の形態においては、計測装置１では本体２とプローブ部２０は別体として構成されるが、花弁の光スペクトルを精度よく計測できるなら必ずしも別体とせず両者を一体化してもよい。一体化する場合に、プローブ部２０が本体２に脱着可能に取付けられる態様であってもよい。
【０１２２】
本体２とプローブ部２０とを別体に備える場合には、プローブ部２０を花弁の位置または形状に応じて容易に引き回すことができる。例えば、多様な形状の花弁または葉に遮られた位置にある花弁であっても、プローブ部２０を好適な場所に引き回すことができ、計測が容易となる。また、また計測結果を、手元の本体２の表示部１１で確認することができ利便性に優れる。
【０１２３】
なお、本実施の形態では計測結果を過去データ記憶部３４に記憶するとしたが、外部記憶媒体７２に格納してもよい。これにより、計測に際して、最適な分析モデルがデータベース１０１２ａに登録されているか否かを、過去データ記憶部３４の検索の結果から、判断することができる。主制御部３１は、過去データ記憶部３４の情報に基づき、例えば、同一品種であっても、開花段階および環境条件の変化に応じた計測結果の変化を示す時系列の情報を取得し表示部１１に表示させてもよい。ユーザは、表示情報から、含有される糖の種類または量の経時変化を確認することができる。また、花卉の健康状態を把握することもできる。また、主制御部３１は、過去データ記憶部３４が記憶する計測装置１の使用形態（使用回数、故障履歴等）の情報に基づき、メンテナンスのための情報を生成し、表示部１１に表示させてもよい。ユーザは、表示情報から、計測装置１のメンテナンスの要否を判断することができる。
【０１２４】
＜本実施の形態１の効果＞
本実施の形態によれば、花卉に含まれる糖を分析する機能を備えた計測装置１において精度よく糖の量または種類を計測することができる。
【０１２５】
一般に光を用いた成分分析においては分析対象物の形状や状態や周辺環境といった成分以外の要因が計測データに大きく影響するため、分析モデルに予め設定された条件と、実際の被検対象の状態との差異が大きいほど分析精度が落ちてしまう。
【０１２６】
このような課題に対し、従来、果実においては品種毎にモデルを作成することで対応しているが、花卉の場合は対応が容易ではなかった。つまり、花弁の場合は、同じ品種であっても様々な形状・色をしており、さらに蕾の状態から開花が進むに従って形状が大きく変化し、それに伴って糖の量や種類も大きく変化していく。また前述のように温度や湿度などの環境条件によって糖の量や種類が大きく左右される。さらに花卉は形状や糖の量や種類が開花の進行に伴って大きく変化するために吸収係数の変動範囲が広くなってしまい、花卉の糖の分析モデルの精度が低くなってしまうという問題があった。
【０１２７】
この問題に対処するために、本実施の形態の計測装置１は、花卉の形状変化や糖の量や種類の変化と密接に結びついている開花段階に応じた分析モデルが準備されることで、高い計測精度を得ることができる。
【０１２８】
また、本実施の形態においては、図７のデータベース１０２１ａは、花卉の品種毎に、複数の開花段階それぞれに関連付けて分析モデルのＩＤ群が格納され、さらに、ＩＤ群では環境条件（温度および湿度）毎にＩＤが格納される。したがって、データベース１０２１ａから、被検対象により最適な分析モデルを検索することができる。
【０１２９】
特に近赤外分光法などの光を用いた成分分析では、花卉の品種、開花段階および環境条件などによってスペクトル形状および用いるべき分析モデルが異なる。したがって、分析モデルに、近赤外分光法などの光を用いた成分分析のための条件を含めることで、より精密に分析を行なうことができる。
【０１３０】
以上説明したように本実施の形態の計測装置１では、花卉の品質を左右する開花のメカニズムに直接関わる糖が蓄積される花弁を被検対象として計測が実施される。計測処理では、花弁からの光による吸収スペクトルが取得される。また、計測処理のために適用される分析モデルは、被検対象の品種および開花段階、ならびに計測時の環境条件（温度または湿度）に基づき決定される。また、被検対象の開花段階は、表示部１１において情報１１Ｄのように、選択のために、グラフィカルにユーザに提示される。
【０１３１】
したがって、開花に伴って形状、糖の量または種類が変化するために、吸収係数と拡散係数の対応が近似できなくなるなどで分析モデルの精度が低下する場合であっても、計測処理のために適用される分析モデルは、被検対象の品種および開花段階、ならびに計測時の環境条件（温度または湿度）に基づき決定することができる。これにより、精度よく糖の量または種類を非破壊で計測することができる。
【０１３２】
[実施の形態２］
実施の形態２は、実施の形態１の変形例を示す。発明者は、実験により、花卉の品種によっては、含水率（水分量を示す情報）（単位：％）に応じた分析モデルを用いることで、より正確に糖の量または種類を計測することができるとの知見を得た。そこで、実施の形態２では、花弁の含水率に応じた分析モデルが用いられる。
【０１３３】
図９は、実施の形態２に係る計測装置１Ａの機能構成図である。図９の構成と図６の構成とを比較し異なる点は、図９の計測装置１Ａは、図６の本体２およびプローブ部２０のそれぞれに代替して、本体２Ａおよびプローブ部２０Ａを備える点にある。
【０１３４】
図９の本体２Ａと図６の本体２とを比較し異なる点は、本体２Ａは、分析モデル記憶部３６に代替して、データベース１０２１ａと図１０のデータベース１０２１ｂを格納するための分析モデル記憶部３６Ａを備える点にある。本体２Ａの他の構成は、本体２と同様であるので、説明は繰返さない。
【０１３５】
図９のプローブ部２０Ａと図６のプローブ部２０とを比較し異なる点は、プローブ部２０Ａは、花弁に含まれる水分の量を測定し、測定結果から含水率を検出するための水分量測定部３３ｂを追加して備える点にある。プローブ部２０Ａの他の構成は、プローブ部２０と同様であるので、説明は繰返さない。
【０１３６】
水分量測定部３３ｂは、図３のように挟まれた状態の花弁の含水率を測定するための静電容量式または光測定式の水分センサを有する。図１０を参照して、データベース１０２１ｂには、品種と開花段階と環境条件（温度）と含水率の各組に関連付けて分析モデルのＩＤが格納される。ここでは、データベース１０２１ｂの環境条件は、温度としているが、湿度であってもよく、または温度と湿度の組合わせであってもよい。
【０１３７】
実施の形態２では、図８の計測処理が開始されると、ステップＳ１１５において、分析モデル判定部３７は、予め定められた品種が入力された場合は、ユーザ入力条件（品種、開花段階）、環境条件（温度、湿度）および水分量測定部３３ｂにより測定された含水率に基づき、データベース１０２１ｂを検索する。検索結果により読出されたＩＤに対応の分析モデルを用いて、花弁に含有された糖の量または種類が計測される。
【０１３８】
なお、花弁の含水率に応じた分析モデルを使用するように予め定められた品種とは異なる品種が入力された場合には、含水率に応じたデータベース１０２１ｂではなくデータベース１０２１ａが検索されて、検索により読出されたＩＤに対応の分析モデルを用いた計測処理が実施される。
【０１３９】
図８の他の処理は、実施の形態１と同様であるから説明は繰返さない。
実施の形態２では、実施の形態１の構成に追加して水分量測定部３３ｂを備えるが、水分量測定部３３ｂに光測定式の水分センサを用いた場合には、糖を計測するための波長と同じ波長の光を用いて含水率を検出することが可能となる。したがって、水分量測定部３３ｂを追加したとしても、部品点数の増加と製造コスト上昇とを抑えることができる。
【０１４０】
[実施の形態３]
実施の形態３は、実施の形態１の変形例を示す。実施の形態３では色素に応じた分析モデルを用いることで、より正確に糖の量または種類を計測することができる。
【０１４１】
図１１は、実施の形態３に係る計測装置１Ｂの機能構成図である。図１１の構成と図６の構成とを比較し異なる点は、図１１の計測装置１Ｂは、図６の本体２およびプローブ部２０のそれぞれに代替して、本体２Ｂおよびプローブ部２０Ｂを備える点にある。
【０１４２】
図１１の本体２Ｂと図６の本体２とを比較し異なる点は、本体２Ｂは、分析モデル記憶部３６に代替して、データベース１０２１ｃを格納するための分析モデル記憶部３６Ｂを備える点にある。本体２Ｂの他の構成は、本体２と同様であるので説明は繰返さない。
【０１４３】
図１１のプローブ部２０Ｂと図６のプローブ部２０とを比較し異なる点は、プローブ部２０Ｂは、花弁に含まれる色素含有量を光測定法に従い測定する色素測定部３３ｃを追加して備える点にある。プローブ部２０Ｂの他の構成は、プローブ部２０と同様であるので説明は繰返さない。
【０１４４】
色素測定部３３ｃは、図３に示した挟まれた状態の花弁の色素含有量を測定するためのセンサを有する。データベース１０２１ｃは、詳細は図示しないが、花卉の品種と開花段階と環境条件（例えば、温度）と色素含有量の各組に関連付けて分析モデルのＩＤが格納される。
【０１４５】
実施の形態３では、図８の計測処理が開始されると、ステップＳ１１５において、分析モデル判定部３７は、ユーザ入力条件（品種、開花段階）、環境条件（温度、湿度）および色素測定部３３ｃのセンサ出力に基づく色素含有量（色素の量を示す情報）に基づき、データベース１０２１ｃを検索する。検索結果により読出されたＩＤに対応の分析モデルを用いて、花弁に含有された糖の量または種類の計測処理が実施される。実施の形態３における図８の他の処理は、実施の形態１と同様であるから説明は繰返さない。なお、本実施の形態では色素としてクロロフィルを想定する。
【０１４６】
色素が特定の波長を反射することにより、吸収スペクトルの形状が色素の含有量に大きく左右される可能性があるために、色素の含有量を計測処理に反映させた方が、より精度よく糖の含有量または種類を計測することができる。例えばクロロフィルは近赤外の波長領域に近い波長で光を強く反射してスペクトル形状に大きな影響を及ぼすことが知られている。開花の初期には花弁にクロロフィルが多く含まれている場合が多いが、開花と共に減少していく。また、品種によっては開花した後もクロロフィルが残ることがある。したがって、実施の形態３のように、色素の含有量に応じた分析モデルを用いることで、より正確に計測処理を実施することができる。
【０１４７】
[実施の形態４]
実施の形態４は、実施の形態１の変形例を示す。本実施の形態４では、花弁の周囲の照度に応じた分析モデルを用いて糖の計測が実施される。
【０１４８】
図１２は、実施の形態４に係る計測装置１Ｃの機能構成図である。図１２の構成と図６の構成とを比較し異なる点は、図１２の計測装置１Ｃは、図６の本体２およびプローブ部２０のそれぞれに代替して、本体２Ｃおよびプローブ部２０Ｃを備える点にある。
【０１４９】
図１２の本体２Ｃと図６の本体２とを比較し異なる点は、分析モデル記憶部３６に代替して、データベース１０２１ｄを格納するための分析モデル記憶部３６Ｃを備える点にある。本体２Ｃの他の構成は、本体２と同様であり、説明は繰返さない。データベース１０２１ｄは、詳細は図示しないが、花卉の品種と開花段階と環境条件（例えば、温度、湿度、照度）の各組に関連付けて分析モデルのＩＤが格納される。
【０１５０】
図１２のプローブ部２０Ｃと図６のプローブ部２０とを比較し異なる点は、プローブ部２０Ｃは、図６の環境測定部３３に代替して環境測定部３３ｄを含む点にある。プローブ部２０Ｃの他の構成は、プローブ部２０と同様であるので、説明は繰返さない。
【０１５１】
環境測定部３３ｄは、実施の形態１で説明した温度センサおよび湿度センサ、ならびに図３のように挟まれた状態の花弁の周囲の照度（明るさ）を測定するための照度センサを有する。
【０１５２】
実施の形態４では、図８の計測処理が開始されると、ステップＳ１１５において、分析モデル判定部３７は、ユーザ入力条件（品種、開花段階）、および環境測定部３３ｄにより測定された環境条件（温度、湿度、照度）に基づき、データベース１０２１ｄを検索する。検索結果により、データベース１０２１ｄから読出されたＩＤに対応の分析モデルを用いて、計測処理が実施される。図８の他の処理は、実施の形態１と同様であるから説明は繰返さない。
【０１５３】
実施の形態４によれば、花弁周囲の照度に応じた分析モデルを用いることで、照射部２７以外の光源からの光（太陽光等）によって、計測処理のための波長帯のスペクトルに影響が及ぶのを回避することができる。これにより、花弁に含まれる糖の量または種類を正確に計測することができる。
【０１５４】
[実施の形態５]
実施の形態５は、実施の形態１の変形例を示す。実施の形態１では、光測定部２１に光照射のための光源を備えたが、実施の形態５では、当該光源を本体側に備える。図１３は、実施の形態５に係る計測装置１Ｄの機能構成図である。
【０１５５】
図１３の計測装置１Ｄと図６の計測装置１とを比較し異なる点は、計測装置１Ｄは、図６の本体２、プローブ部２０およびコード３０に代替して、本体２Ｄ、プローブ部２０Ｄおよびコード３０Ｄを備える。
【０１５６】
本体２Ｄは、図６の本体２のプローブ制御部３５に代替して、プローブ制御部３５ｄを備える。プローブ制御部３５ｄは、投光および受光のための投受光部３５ｅと電気的に接続されている。投受光部３５ｅは投光部と受光部を含む。投光部は、照射波長が連続した光源であるハロゲンランプ（図示せず）を有する。受光部は、ハロゲンランプからの光のうち、計測処理に使用する波長を選択的に透過するための分光素子である干渉フィルタなどの波長フィルタ５０、および光の強度を取得する受光器としてのＣＣＤ（Charge Coupled Device：図示しない）を備える。プローブ制御部３５ｄの他の構成は、プローブ制御部３５と同様であるので説明は繰返さない。
【０１５７】
プローブ部２０Ｄは、図６のプローブ部２０の光測定部２１に代替して光測定部２１ｄを備える。本体２Ｄとプローブ部２０とを接続するコード３０Ｄは、本体２Ｄとプローブ部２０Ｄとの間で制御のための信号を送受信するためのケーブルと、照射用と受光用の光ファイバをまとめたバンドルファイバからなるケーブルとを含む。なお、これらのケーブルは一本にまとめてもかまわない。
【０１５８】
投受光部３５ｅとバンドルファイバは光コネクタ（図示せず）を介して接続される。さらにバンドルファイバは投受光部３５eからの光と光測定部２１ｄからの光を互いに導光できるよう光学的に接続されている。プローブ部２０Ｄの他の構成は、プローブ部２０と同様であるので説明は繰返さない。
【０１５９】
図１４は、実施の形態５に係る光測定部２１ｄの構成図である。図１４を参照して光測定部２１ｄは、コード３０Ｄのバンドルファイバの一方端と接続される複数の照射部２７ｄおよび受光部２８ｄを有する。複数の照射部２７ｄは、受光部２８ｄを中心に取り囲むようにして配置される。
光測定部２１ｄの照射部２７ｄと受光部２８ｄは、バンドルファイバの先端に、光を透過する波長特性を有した透明部材のカバーを設けたものとして構成される。すなわち、照射部２７ｄは、本体２Ｄの投受光部３５ｅのハロゲンランプから照射された光がバンドルファイバを通ってきた光の出口に相当する。
ＣＣＤには波長フィルタ５０によって波長選択された光が受光される。波長フィルタ５０は干渉フィルタからなり、光を透過することが可能な波長範囲内に、糖の分析に用いる波長（すなわち、ＣＣＤによる光電変換が可能な光の波長）が存在するように選定される。
また、受光部２８ｄは、花弁からの光の入射口に相当し、花弁からの光は受光部２８ｄおよびバンドルファイバを通って、本体２Ｄの投受光部３５ｅの波長フィルタ５０を介してＣＣＤにより受光される。
【０１６０】
このように、投受光部３５ｅのＣＣＤは、波長フィルタ５０によって選択された波長の光を受光する。波長フィルタ５０は、糖の計測に用いる波長（すなわち、ＣＣＤによる光電変換が可能な光の波長）が存在するように透過可能な波長の範囲が設定される。
【０１６１】
投受光部３５ｅのＣＣＤは受けた光を電気信号に変換し、変換後の電気信号を分析部３２に出力する。分析部３２は、投受光部３５ｅからの受光信号に基づき吸収スペクトルを取得（生成）する。
【０１６２】
なお、本実施の形態では、波長フィルタ５０に干渉フィルタを用いるがこれに限るものではなく、糖の計測に用いる波長の光を選択的に透過できる分光素子であればよく、例えば液晶チューナブルフィルターなど他の構成であってもよい。
【０１６３】
また、本実施の形態では連続光源としてハロゲンランプを用いるがこれに限るものではなく、分析に用いる波長の光を照射できる連続光源であればよい。また、本実施の形態では受光器としてＣＣＤを用いるがこれに限るものではない。例えば、糖の計測に必要な波長を検知することが可能であれば、リニアアレイ型のマルチチャンネル検出器、あるいは撮像素子を用いた構成でもよい。
【０１６４】
なお、ハロゲンランプの出力、波長フィルタ５０が透過する波長および分光器の構成などは、被検対象である花卉の品種、計測に使用する光の波長、計測装置１Ｄの仕様などに応じて適宜選択されてよい。
【０１６５】
また、本実施の形態では波長フィルタ５０を花弁とＣＣＤの間に設置しているがこれに限るものではなく、連続光源と花弁の間に設置してもよいし、あるいは連続光源または分光器と一体型としてもよい。
【０１６６】
本実施の形態の場合、ハロゲンランプを用いることにより、近赤外光源として使用されるＬＥＤまたはＬＤ（Laser Diode）からの出射光には含まれない波長の光も計測に使用することができる。これにより、精度よく糖の量または種類を計測することができる。
【０１６７】
[実施の形態６]
実施の形態６は、実施の形態１の変形例を示す。図１５は、実施の形態６に係る光測定部２１ｅの構成図である。実施の形態６では、実施の形態１の光測定部２１に代替して、図１５の光測定部２１ｅを備えるが、他の構成は実施の形態１と同様であるから説明は繰返さない。
【０１６８】
図１５を参照して、光測定部２１ｅは複数の照射部２７ｅと受光部２８とを備える。照射部２７ｅは、光源としてＬＥＤと、ＬＥＤに関連して設けられた蛍光体発光部６０（図示せず）とを有する。このＬＥＤから出射された励起光としての光によって蛍光体発光部６０に含まれる蛍光体粒子が励起されることにより、照射部２７ｅから蛍光が発せられる。蛍光体発光部６０には、近赤外域の波長の蛍光を発する蛍光体粒子が含有されている。すなわち、蛍光体発光部６０はＬＥＤからの光を受光して、ＬＥＤの光とは異なる波長の蛍光に変換して出力する。従って、蛍光体発光部６０は、ＬＥＤの光の波長を変換する機能を有する部材であると理解されてもよい。それゆえ、蛍光体発光部６０は、波長変換部材とも称される。照射部２７ｅからの光、すなわち蛍光体発光部６０が発した光は、花弁に照射される。
【０１６９】
本実施の形態の場合、近赤外光源に使用できるＬＥＤやＬＤの出射光に存在しない波長の光を使用することができる一方で、煩雑な機構や高価なデバイスを必要としない。そのため、簡潔な構成でより精度よく糖の量および種類を計測することができる。
【０１７０】
なお、ＬＥＤの出力や蛍光体微粒子の種類は、計測する花卉の品種、計測に使用する波長、計測装置の仕様などに応じて適宜選択されてよい。また、ＬＥＤの代わりにＬＤなど他の励起光源を使用することもできる。
【０１７１】
[実施の形態７]
実施の形態７は、実施の形態５の変形例を示す。実施の形態７では、実施の形態５の波長フィルタ５０に代替して受光のための分光器を用いるが、他の構成は、実施の形態５と同様であるので説明は繰返さない。
【０１７２】
実施の形態７では、受光部２８ｄは、透明部材のカバーを有するが、当該カバーの材料は、投受光部３５ｅのＣＣＤによる光電変換が可能な範囲の波長の光を透過する特性を有する。当該波長範囲には、花弁に照射される光の発振波長が含まれる。
【０１７３】
分光器は、波長毎に光の強度を取得する受光器であって、本実施の形態では分光器は、回折格子とスリットを含む。
【０１７４】
なお、本実施の形態では回折格子を用いているがこれに限るものではなく、糖の計測に用いる波長の光を選択的に透過できる分光素子であれば、例えば音響光学素子なども用いることができる。
【０１７５】
また、本実施の形態では、投受光部３５ｅの光源としてハロゲンランプを用いるがこれに限るものではなく、分析に用いる波長の光を照射できる連続光源であればよい。
【０１７６】
本実施の形態の場合、分光器を用いて連続スペクトルを計測することで、多くの波長を用いて糖の量および種類を計測することができる。これにより、より精度よく糖の量および種類を算出することができる。
【０１７７】
なお、光源または分光器の構成は、計測する花卉の品種や使用する波長や計測装置の仕様などに応じて適宜選択されてよい。
【０１７８】
上述した実施の形態１〜７の計測装置の構成は、個別に実施し、または２つ以上を組合わせて１個の装置で実施することができる。
【０１７９】
[実施の形態８]
実施の形態８は、計測装置１Ｅを備えるネットワークシステムが示される。図１６は、実施の形態８に係るネットワークシステムの構成図である。図１６を参照して、ネットワークシステムは、計測装置１Ｅ、ネットワーク７０を介して計測装置１Ｅと通信するサーバ装置を備える。サーバ装置は計測用の分析モデルを格納する。ここでは、計測装置１Ｅは１台としているが２台以上であってよい。また、サーバ装置４０は、データベースサーバまたはシステムを管理するための管理サーバを含む。ここでは、サーバ装置４０は、１台としているが、２台以上であってもよい。ネットワーク７０は有線または無線の各種通信線を含み得る。
【０１８０】
図１７を参照して、計測装置１Ｅは、計測装置１の構成に追加して通信Ｉ／Ｆ（インターフェイス）７１を備える。他の構成は、計測装置１と同様であるので説明は繰返さない。また、図１６を参照して、サーバ装置４０は、ネットワーク７０と通信するための通信Ｉ／Ｆ（インターフェイス）４１、計測装置１Ｅの記憶部３９の分析モデルまたはプログラムなどを変更または追加するための管理データを記憶するメモリ４２、およびＣＰＵ４３を備える。ＣＰＵ４３は、メモリ４２に格納された管理用プログラムに従い、通信Ｉ／Ｆ４１を介して計測装置１Ｅから受信した計測結果に基づいて管理データを変更するための変更部の機能を有する。ＣＰＵ４３は、計測結果と管理データとに基づいて変更データを生成し、通信Ｉ／Ｆ４１を介して変更データを計測装置１Ｅへ送信する。変更データは、最新の分析モデル、または計測装置１Ｆの格納された分析モデルを変更するためのデータを含む。計測装置１Ｅは、通信Ｉ／Ｆ７１を介して計測処理の結果をサーバ装置４０へ送信する。また、サーバ装置４０から受信する変更データに基づいて記憶部３９に記憶された分析モデルなどのデータを変更する。変更データが、最新の分析モデルを示す場合には、最新分析モデルにより元の分析モデルが更新（変更）される。以下、具体的に説明する。
【０１８１】
計測装置１Ｅは、サーバ装置４０から送信された分析モデルを受信し、受信された分析モデルを用いて、被検対象に含まれる糖の計測処理を実施する。ここでは、サーバ装置４０のメモリ４２に最新の分析モデルが格納されることで、計測装置１Ｅは最新の分析モデルを用いて計測処理を実施することができる。また、サーバ装置４０が、ネットワーク７０を介して計測装置１Ｅに格納されたデータベースを更新することができる。また、サーバ装置は、メンテナンス処理により計測装置１Ｅの故障を検知した場合に、計測装置１Ｅに対し、その旨の通知を送信する。計測装置１Ｅは、受信した通知内容を表示部１１を介して出力する。また、主制御部３１は、受信した通知内容に含まれる変更データに基づき、記憶部３９のプログラムまたは分析モデルを変更する。これにより、計測装置１Ｅの計測精度を維持することができる。
【０１８２】
実施の形態８によれば、分析モデルとして検量線などの回帰モデルを用いる場合には、次の効果が奏される。一般に、分析モデルにおいて検量線などの回帰モデルを用いる場合、装置が故障しなくても時間の経過とともに自然に回帰モデルがずれて精度が低下していってしまうことが知られており、定期的に計測精度をチェックして、回帰モデルを補正する、または新たな回帰モデルに変更することが望ましいが、ユーザが自主的に分析モデルを補正することは煩雑であり手間がかかる。よって、実施の形態８のように、ネットワーク７０を介してサーバ装置４０が計測装置１Ｅの分析モデルを管理することにより、変更データを用いてオンラインで分析モデルが変更される。この変更は、変更データによる分析モデルの修正、または最新の分析モデルへの変更を含む。これにより、ユーザの負担の少ない方法で計測精度を維持することができる。
【０１８３】
さらに、ユーザの許可に基づいて、計測装置１Ｅの計測結果を、サーバ装置４０に送信することで、計測結果の情報をサーバ装置４０で集約してメモリ４２に格納することができる。つまりユーザの分析結果を管理サーバに送信することで、分析情報を計測装置１Ｅのメーカ側で集約し情報を蓄積することで得た新たなプログラムや分析モデルをユーザに提供し、ユーザの計測精度を向上するためにフィードバックすることができる。具体的にはサーバ装置４０は新たな計測用のプログラムまたは分析モデルを計測装置１Ｅに送信することができる。
【０１８４】
また、冷夏や日照りなどの突発的な異常気象が発生し、計測装置１Ｅに予め格納された分析モデルまたはプログラムの想定範囲を超えて花弁の形状または糖の含有量が変化するような場合であっても、この変化に追従して計測処理を実現するための分析モデルまたはプログラムをサーバ装置４０から計測装置１Ｅに配信して提供する。これにより、異常気象時にも計測精度を維持することができる。
【０１８５】
なお、計測装置１Ｅは、実施の形態１の計測装置１に通信Ｉ／Ｆ７１を備えて構成されるが、実施の形態１の計測装置１に限定されず、実施の形態２〜７のいずれの計測装置であっても、実施の形態８のネットワークシステムに適用することができる。
【０１８６】
[実施の形態９]
上述した図８のフローチャートに従うプログラムは、各実施の形態の計測装置に付属する外部記憶媒体７２などのように、主制御部３１のＣＰＵが外部Ｉ／Ｆ７３を介して読取り可能な記録媒体に非一時的に記録させて、プログラム製品として計測装置に提供することもできる。あるいは、ネットワーク７０を介して通信Ｉ／Ｆ７１により受信し記憶部３９の予め定めた記憶領域へのダウンロードによって、プログラムを提供することもできる。提供されるプログラム製品は、プログラム自体と、プログラムが非一時的に記録された記録媒体とを含む。
【０１８７】
また、本実施の形態では、実施の形態１の図８に示す方法を、コンピュータを用いて実行するプログラムが提供されるとともに、当該プログラムを記録した機械読取り可能な記録媒体が提供される。
【０１８８】
[各実施の形態の効果]
各実施の形態によれば、非破壊計測の原理上の課題を解消することができる。つまり、花弁に光を照射し、その反射光から得られるスペクトルには花卉による各種の反射および散乱された光が含まれる。そのため、このようなスペクトルから吸光度を求めるには、物質の吸収係数と散乱係数との対応を線形に近似する必要がある。果実の形状または糖度は変動範囲が比較的狭くてほぼ近似することができるが、花卉は形状または糖の量または種類が開花の進行に伴って大きく変化するために線形近似が困難になり、また微分処理のような演算だけでも対応することができない。
【０１８９】
これに対し、各実施の形態では、複数の開花段階それぞれに関連付けて、糖の分析処理に適用される分析モデルを記憶部に格納し、被検対象の花の開花段階に関連付けされた記憶部の分析モデルと、被検対象の花から取得された光の強度情報とに基づき、計測処理が実施される。したがって、開花段階に応じて形状が多様に変化するとともに含まれる糖の量または種類も変化する花卉の場合であっても、花弁の糖のより正確な非破壊計測を実現することができる。
【０１９０】
（実施の形態の構成）
各実施の形態では、花の花弁または萼に含有された糖の計測処理を実施する計測装置は、花の花弁または萼に光を照射する光源と、光源から被検対象の花に光を照射することによって花弁または萼から放出された光の測定処理を実施するための測定部と、花の花弁または萼が含有する糖を分析するために用いる分析モデルを格納するための記憶部と、花弁または萼に含有された糖の分析処理を実施する処理部と、を備え、処理部は、測定部で測定された光の強度情報を取得する光強度取得部を含み、処理部は、分析モデルと、取得された光の強度情報とに基づき、分析処理を実施するよう構成される。
【０１９１】
したがって、花の花弁または萼に含まれる糖を非破壊で測定することが可能である。
また、記憶部は、花の品種毎に、花弁または萼の複数の開花段階それぞれに関連付けた分析モデルを格納し、処理部は、被検対象の花の開花段階を取得し、取得された開花段階に関連付けされた記憶部の分析モデルと、取得された光の強度情報とに基づき、分析処理を実施するよう構成される。したがって、品種ごとに、花の花弁または萼に含まれる糖を開花段階に基づき非破壊で測定することが可能である。
【０１９２】
また、処理部は、情報を表示するように表示部を制御する表示制御部と、計測装置に対するユーザ操作を受付けるための操作受付部と、をさらに含み、表示制御部は、複数の開花段階を表す情報を、表示部に表示させ、操作受付部により受付けられる操作内容は、複数の開花段階のうちの１つを選択する操作を含む。
【０１９３】
したがって、ユーザは表示された複数の開花段階を表す情報のうちから、被検対象の花の開花段階を選択する操作をして指定することができる。
【０１９４】
また、計測装置は、被検対象の花の周囲の環境条件を取得する環境条件取得部を、さらに備え、記憶部は、複数の開花段階それぞれに関連付けて、環境条件毎に分析モデルを格納し、処理部は、さらに、開花段階に関連付けされた記憶部の分析モデルのうち、環境条件取得部により取得された環境条件に対応の分析モデルと、取得された光の強度情報とに基づき、分析処理を実施する。
【０１９５】
したがって、花の花弁または萼に含まれる糖を、さらに花の周囲の環境条件に基づき非破壊で測定することが可能である。
【０１９６】
好ましくは、環境条件は、被検対象の花の周囲の温度、湿度および照度の少なくとも１つの条件を含む。したがって、花の花弁または萼に含まれる糖を、さらに花の周囲の環境条件（温度、湿度および照度の少なくとも１つ）に基づき非破壊で測定することが可能である。
【０１９７】
また、測定処理と分析処理が実施されたとき、当該処理に関する情報であって、分析モデルと、開花段階と、環境条件と、当該測定処理と分析処理の結果とを含む情報を格納するための結果格納部を備える。
【０１９８】
したがって、測定処理と分析処理の結果は、当該処理に適用された分析モデルと、開花段階と、環境条件とともに格納される。
【０１９９】
また、記憶部は、複数の開花段階それぞれに関連付けて、水分の量毎に測定用データを格納し、計測装置は、さらに、被検対象の花の花弁または萼に含まれる水分の量の情報を取得し、処理部は、さらに、開花段階に関連付けされた記憶部の測定用データのうち、取得された情報が示す水分の量に対応の測定用データと、取得された光の強度情報とに基づき、分析処理を実施する。
【０２００】
したがって、花の花弁または萼に含まれる糖を、さらに、そこに含まれる水分の量に基づき非破壊で計測することが可能である。
【０２０１】
また、記憶部は、複数の開花段階それぞれに関連付けて、色素の量毎に測定用データを格納し、計測装置は、被検対象の花の花弁または萼に含まれる色素の量の情報を取得し、処理部は、さらに、開花段階に関連付けされた記憶部の測定用データのうち、取得された情報が示す色素の量に対応の測定用データと、取得された光の強度情報とに基づき、分析処理を実施する。
【０２０２】
したがって、花の花弁または萼に含まれる糖を、さらに、そこに含まれる色素の量に基づき非破壊で計測することが可能である。
【０２０３】
また、計測装置は、さらに、日付および時刻の少なくともいずれかを取得するための計時部をさらに備え、記憶手段は、分析モデルを日付および時刻の少なくともいずれかに対応付けて格納し、処理部は、さらに、記憶部の分析モデルのうち、計時部による計時情報に対応の分析モデルと、取得された光の強度情報とに基づき、分析処理を実施する。
【０２０４】
したがって、花の花弁または萼に含まれる糖を、さらに、計測時の日付および時刻の少なくともいずれかに基づき非破壊で計測することが可能である。
【０２０５】
また、光強度取得部は、被検対象の花の花弁または萼に光が照射されたときに、当該花弁または萼から受光する光の強度情報を取得する。したがって、被検対象の花の花弁または萼に光が照射されたときに取得される光の強度情報に基づき、計測処理を実施することができる。
【０２０６】
また、光源は、半導体発光素子を含み、被検対象の花の花弁または萼に照射される光は、半導体発光素子から照射された光を含む。したがって、被検対象の花の花弁または萼に照射する光として、半導体発光素子からの光を用いることができる。
【０２０７】
また、被検対象の花の花弁または萼に照射される光は、波長が連続した光を含み、計測装置はさらに、測定処理のための波長の光を透過する波長フィルタと、被検対象の花の花弁または萼に波長が連続した光が照射されたときに、当該花弁または萼からの光を、波長フィルタを介して受光する受光素子を備え、光強度取得部は、受光素子により受光された光の強度情報を取得する。したがって、被検対象の花の花弁または萼に照射する光として、波長が連続した光を用いることができる。
【０２０８】
また、光源は波長が連続した光を照射する連続光源を含み、計測装置は、波長が連続した光を照射する連続光源と、連続光源により被検対象の花の花弁または萼に光が照射されたときに、当該花弁または萼からの光の強度を、波長毎に取得する分光器を含む。したがって、被検対象の花の花弁または萼に照射する光として、波長が連続した光を用いることができる。
【０２０９】
また、計測装置は、当該計測装置とは別に外部装置を備え、光源または測定部は、外部装置に含まれる。したがって、計測装置は、外部装置から光の強度情報を取得することができる。
【０２１０】
また、光源は、励起光源と、当該励起光源からの光の波長を変換する蛍光体とを含む。
また、被検対象の花の花弁または萼への照射光は、１１００ｎｍ以上の波長を有し、光の強度情報は、１１００ｎｍ以上の波長の光の吸光度を含む。したがって、光の強度情報として、１１００ｎｍ以上の波長の光の吸光度を用いることができる。
【０２１１】
また、分析モデルを格納するための記憶部は、書き換え可能である。
また、計測装置は、当該計測装置の外部から分析モデルを取得し、取得された分析モデルを記憶部に格納する。したがって、記憶部の分析モデルを、計測装置の外部から取得された分析モデルを用いて、変更することができる。
【０２１２】
また、ネットワークシステムは、上記に述べた計測装置と、サーバ装置とを含む。計測装置は、さらに、端末通信インターフェイスを、備え、端末通信インターフェイスを介して計測処理の計測結果をサーバ装置へ送信し、サーバ装置から受信する変更データに基づいて記憶部に記憶された分析モデルを変更し、サーバ装置は、サーバ通信インターフェイスと、記憶部の分析モデルを変更または追加するための管理データを記憶するためのサーバメモリと、を備え、サーバ通信インターフェイスを介して計測装置から受信した計測結果に基づいて変更データを生成し、サーバ通信インターフェイスを介して当該変更データを計測装置へ送信する。
【０２１３】
したがって、計測装置の分析データは、サーバ装置からの変更データにより変更されるが、この変更データは、計測装置から予め受信した過去の分析データに基づき生成されたものである。これにより、計測装置に格納される分析データを、過去の計測処理の結果を反映した内容に変更することができる。
【０２１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２１５】
１，１Ａ，１Ｂ，１Ｃ，１Ｄ，１Ｅ  計測装置、２，２Ａ，２Ｂ，２Ｃ，２Ｄ  本体、１１  表示部、２０，２０Ａ，２０Ｂ，２０Ｃ，２０Ｄ  プローブ部、２１，２１ｄ，２１ｅ  光測定部、３１  主制御部、３２  分析部、３３，３３ａ，３３ｄ  環境測定部、３３ｂ  水分量測定部、３３ｃ  色素測定部、３４  過去データ記憶部、３５，３５ｄ  プローブ制御部、３５ｅ  投受光部、３６，３６Ａ，３６Ｂ，３６Ｃ  分析モデル記憶部、３７  分析モデル判定部、３８  計時部、３９  記憶部、４０  サーバ装置、４２  メモリ、５０  波長フィルタ、６０  蛍光体発光部、７０  ネットワーク、７２  外部記憶媒体。
【図１】
0006487681.tif 000002
【図２】
0006487681.tif 000003
【図３】
0006487681.tif 000004
【図４】
0006487681.tif 000005
【図５】
0006487681.tif 000006
【図６】
0006487681.tif 000007
【図７】
0006487681.tif 000008
【図８】
0006487681.tif 000009
【図９】
0006487681.tif 000010
【図１０】
0006487681.tif 000011
【図１１】
0006487681.tif 000012
【図１２】
0006487681.tif 000013
【図１３】
0006487681.tif 000014
【図１４】
0006487681.tif 000015
【図１５】
0006487681.tif 000016
【図１６】
0006487681.tif 000017
【図１７】
0006487681.tif 000018